(57)【要約】【課題】扉等の可動物の厚さがデッドスペースや通行の障碍にならない蝶番又は扉等の可動物を手前に引いて開けるときのスペースを低減できる蝶番の提供【解決手段】この発明の蝶番は、建家等の固定構造物に取り付けられる固定羽根１の後端部をＬ字状又は固定構造物に合わせた形状に曲げ、その先端に軸３を緩挿する管体５を取り付け、扉等の可動物Ａに取り付けられる可動羽根２の後端部をＬ字状又は固定構造物に合わせた形状に曲げ、その先端に軸３を緩挿する管体４を取り付け、前記管体４，５に前記軸３を回動可能に装着し、固定羽根１に凹部６又は凸部７を設け、該凹部６又は該凸部７に嵌着する凸部７又は凹部６を可動羽根２に設けている。【選択図】 図１
2008223237.tif 000002
【特許請求の範囲】
【請求項１】
建家等の固定構造物に取り付けられる固定羽根（１）の後端部をＬ字状又は固定構造物に合わせた形状に曲げ、その先端に軸（３）を緩挿する管体（５）を取り付け、扉等の可動物（Ａ）に取り付けられる可動羽根（２）の後端部をＬ字状又は固定構造物に合わせた形状に曲げ、その先端に軸（３）を緩挿する管体（４）を取り付け、前記管体（４，５）に前記軸（３）を回動可能に装着したことを特徴とする蝶番
【請求項２】
建家等の固定構造物に取り付けられる固定羽根（１）の後端部をＬ字状又は固定構造物に合わせた形状に曲げ、その先端に軸（３）を緩挿する管体（５）を取り付け、扉等の可動物（Ａ）に取り付けられる可動羽根（２）の後端部をＬ字状又は扉等の可動物（Ａ）に合わせた形状に曲げ、その先端に軸（３）を緩挿する管体（４）を取り付け、前記固定羽根（１）と前記可動羽根（２）を連結するＬ字状又は固定構造物と扉等の可動物（Ａ）に合わせた形状に曲げた連結羽根（９）の両端に前記軸（３、３）を緩挿する管体（１０、１１）を取り付け、前記管体（４、１０、５、１１）に前記軸（３、３）を回動可能に装着したことを特徴とする蝶番
【請求項３】
固定羽根（１）に凹部（６）又は凸部（７）を設け、該凹部（６）又は該凸部（７）に嵌着する凸部（７）又は凹部（６）を可動羽根（２）に設けたことを特徴とする請求項１又は請求項２に記載の蝶番
【発明の詳細な説明】
【技術分野】
【０００１】
本発明は、蝶番に関するものである。
【背景技術】
【０００２】
従来の蝶番は、図９（ａ），（ｂ）に示すように、建家等の固定構造物に固定される固定羽根１’、扉等の可動物Ａに固定される可動羽根２’とも平板で、軸３’は、平板状の固定羽根１’と可動羽根２’の一端に装着されていた。従って、例えば、可動羽根２’に、扉等の可動物Ａが取り付けられていたとすると、扉等の可動物Ａをいっぱいに開いたときには、図９（ｂ）のようになり、扉の可動物Ａの厚さと可動羽根２’がほぼ等しいとすると、扉等の可動物Ａの厚さがデッドスペースや通行の障碍になるという欠点があった。
【０００３】
また、建家等の固定構造物に固定する位置によっては、扉等の可動物Ａが通行を遮るという欠点があった。
【特許文献１】特開平８−２７０２９８号公報
【発明の開示】
【発明が解決しようとする課題】
【０００４】
この発明は、背景技術で記述した欠点を解消するためになされたもので、扉等の可動物がデッドスペースや通行の障碍にならない蝶番又は通行を遮ることがない蝶番、加えて扉等の可動物を手前に引いて開けるときのスペースを低減できる蝶番の提供を目的とするものである。
【課題を解決するための手段】
【０００５】
この発明の蝶番は、建家等の固定構造物に取り付けられる固定羽根の後端部をＬ字状又は固定構造物に合わせた形状に曲げ、その先端に軸を緩挿する管体を取り付け、扉等の可動物に取り付けられる可動羽根の後端部をＬ字状又は固定構造物に合わせた形状に曲げ、その先端に軸を緩挿する管体を取り付け、前記管体に前記軸を回動可能に装着したことを特徴とするものである。
【０００６】
この発明の蝶番は、建家等の固定構造物に取り付けられる固定羽根の後端部をＬ字状又は固定構造物に合わせた形状に曲げ、その先端に軸を緩挿する管体を取り付け、扉等の可動物に取り付けられる可動羽根の後端部をＬ字状又は扉等の可動物に合わせた形状に曲げ、その先端に軸を緩挿する管体を取り付け、前記固定羽根と前記可動羽根を連結するＬ字状又は固定構造物と扉等の可動物に合わせた形状に曲げた連結羽根の両端に前記軸を緩挿する管体を取り付け、前記管体に前記軸を回動可能に装着したことを特徴とするものである。
【０００７】
この発明の蝶番は、固定羽根に凹部又は凸部を設け、該凹部又は該凸部に嵌着する凸部又は凹部を可動羽根に設けたことを特徴とするものである。
【発明の効果】
【０００８】
この発明は上述のように構成されているので、次のような効果を奏する。
（１）扉等の可動物を開いたとき、扉等の可動物がデッドスペースや通行の障碍になったり、通行を遮ることがない。
（２）固定羽根と可動羽根が回動可能な連結羽根で連結されているので、扉等の可動物を手前に引いて開けるときのスペースを低減できるとともに、最大に開けば通行を遮ることがない。
（３）固定羽根に凹部又は凸部を設け、可動羽根に該凹又は該凸部に嵌着する凸部又は凹部を設けているので、扉等の可動物を閉めたとき、可動羽根が固定羽根からずれて離脱することがない。
【発明を実施するための最良の形態】
【０００９】
扉等の可動物が通行の障碍や通行を遮ることがない蝶番、さらに扉等の可動物を手前に引いて開けるときにスペースを低減できる蝶番の提供という目的を、建物等の固定構造物に固定される固定羽根と扉等の可動物に固定される可動羽根の回転軸を移動させることと連結羽根により回転軸を複数にすることにより実現できた。
【実施例】
【００１０】
本発明の実施の一例を図面を参照しながら説明する。本発明の蝶番は、図１〜図４に示すように、建家等の固定構造物に取り付けられる固定羽根１の後端部をＬ字状又は固定構造物に合わせた形状に曲げ、その先端に軸３を緩挿する管体５を取り付け、扉等の可動物Ａに取り付けられる可動羽根２の後端部をＬ字状又は固定構造物に合わせた形状に曲げ、その先端に軸３を緩挿する管体４を取り付け、前記管体４、５に前記軸３を回動可能に装着している。  
【００１１】
図１、図３は扉（図示は省略）等を閉じた状態、図２は扉（図示は省略）等を開いた状態を示している。図１、図２、図３及び図６において、８はビス等のネジ穴で、固定羽根１を建物等の固定構造物や可動羽根２を扉等の可動物Ａに固定するためのものであるが、これに限定されるものではなく、固定羽根１や可動羽根２の固定には、接着又は溶接等によってもよい。本例では、Ｌ字状の折り曲げ部は、固定羽根１側が下半分、可動羽根２側が上半分を構成している場合を示したが、これに限定されるものではない。
【００１２】
図４は、固定構造物に合わせた形状に曲げた先端に軸３を緩挿する管体４、５（図示は省略）を取り付け、該管体４、５に軸３を回動可能に装着した一例を示した平面図である。なお、固定羽根１を固定する固定構造物としては、例えば、家具、自動車、船舶、航空機等がある。
【００１３】
図５（ａ）は、扉等の可動物Ａが閉まっているときの概略平面図である。回転軸は、軸３の位置にある。図５（ｂ）は、扉等の可動物Ａをいっぱいに開いたときの概略平面図である。
【００１４】
また、本願の蝶番は、図６に示すように、建家等の固定構造物に取り付けられる固定羽根１の後端部をＬ字状又は固定構造物に合わせた形状に曲げ、その先端に軸３を緩挿する管体５を取り付け、扉等の可動物Ａに取り付けられる可動羽根２の後端部をＬ字状又は扉等の可動物Ａに合わせた形状に曲げ、その先端に軸３を緩挿する管体４を取り付け、前記固定羽根１と前記可動羽根２を連結するＬ字状又は固定構造物と扉等の可動物Ａに合わせた形状に曲げた連結羽根９の両端に前記軸３、３を緩挿する管体１０、１１を取り付け、前記管体４、１０、５、１１に前記軸３、３を回動可能に装着している。
【００１５】
図７は、図６に示した蝶番を取り付けた使用例を示す概略平面図である。図７（ａ）は扉等の可動物Ａが閉まっているとき、図７（ｂ）は取っ手を手前に引き、扉等の可動物Ａを建物等の固定構造物に、ほぼ直角の位置に移動したとき、図７（ｃ）は取っ手を右方向に引いたとき、図７（ｄ）は取っ手を手前に引き、扉等の可動物Ａをほぼ全開したとき、図７（ｅ）は、扉等の可動物Ａを最大に開き、スペースを最小限にし、通行を遮らないようにしたときの状態を示している。
【００１６】
図８（ａ）（ｂ）は、連結羽根９を、固定構造物と扉等の可動物Ａに合わせた形状に曲げた状態の一例を示す概略平面図である。図８（ａ）は、固定構造物が段差状に曲がり、扉等の可動物Ａが湾曲状に曲がっている場合、図８（ｂ）は、固定構造物が段差状に曲がっている場合の例である。
【００１７】
また、本願の蝶番は、前記固定羽根１に凹部６又は凸部７を設け、該凹部６又は該凸部７に嵌着する凸部７又は凹部６を前記可動羽根２に設けている。従って、扉等を閉めているときは、凸部７が凹部６に嵌着しているので、可動羽根２が固定羽根１からずれて離脱することがない。なお、凹部６、凸部７のサイズ、形状、個数等については、特に制限はない。
【産業上の利用可能性】
【００１８】
扉等を開いたときの間口を有効に利用できるので、扉等のサイズを低減でき、又は扉等を手前に開くときのスペースを低減できるので、経済的で自動車、船舶、航空機、家具等のドア用としても利用の可能性がある。
【図面の簡単な説明】
【００１９】
【図１】本発明の実施の一例を示す概略斜視図
【図２】図１において、可動羽根を開いた状態を示す概略斜視図
【図３】本発明の実施の一例を示す概略斜視図
【図４】本発明の実施の一例を示す概略平面図
【図５】扉等の可動物を閉開した状態の一例を示す概略平面図
【図６】本発明の実施の一例を示す概略斜視図
【図７】扉等の可動物を閉開した状態の一例を示す概略平面図
【図８】本発明の実施の一例を示す概略平面図
【図９】従来の実施の一例を示す概略平面図
【符号の説明】
【００２０】
１、１’固定羽根
２、２’可動羽根
３、３’軸
４、５、１０、１１管体
６  凹部
７  凸部
８  ネジ穴
９  連結羽根
【図１】
2008223237.tif 000003
【図２】
2008223237.tif 000004
【図３】
2008223237.tif 000005
【図４】
2008223237.tif 000006
【図５】
2008223237.tif 000007
【図６】
2008223237.tif 000008
【図７】
2008223237.tif 000009
【図８】
2008223237.tif 000010
【図９】
2008223237.tif 000011